(57)【要約】【課題】リモコン操作による暗証番号の通知に基づいて、個別の玉貸出処理機或は、複数の玉貸出処理機全台を対象とする解錠を容易且つ、確実におこなうことができる遊技媒体貸出システムを提供する。【解決手段】リモコン９０による入力操作により個別の玉貸出処理機２０或は、島単位に区分された複数の玉貸出処理機２０を解錠対象として解錠指示通知および特定の暗証番号通知を玉貸出処理機２０に送信し、玉貸出処理機２０は、暗証番号の真偽を判定し、暗証番号の照合が一致した場合に、対象となる玉貸出処理機２０の解錠をおこなう。【選択図】        図１
2005118385.tif 000002
【特許請求の範囲】
【請求項１】
複数の遊技機に並設されるとともに、紙幣の受け入れにより、当該遊技機に対する遊技媒体の貸し出し処理をおこなう複数の貸出処理機と、当該複数の貸出処理機と通信可能な無線式の遠隔操作装置とを備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態との間を切り換え可能な紙幣収納ユニットと、
前記紙幣収納ユニットを、前記取り出し阻止状態に施錠するロック機構部と、
入力される解錠指示信号の有無を判定する解錠指示判定手段と、
入力される特定の暗証番号の真偽を判定する暗証番号判定手段と、
前記解錠指示信号および前記特定の暗証番号に対応して、前記ロック機構部の解錠をおこなう解錠制御手段とを備え、
前記遠隔操作装置は、
解錠対象とする貸出処理機に対して解錠指示信号を通知する解錠指示通知手段と、
解錠対象とする貸出処理機に対して、特定の暗証番号を通知する暗証番号通知手段と
を備えることを特徴とする遊技媒体貸出システム。
【請求項２】
複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置と、解錠指示通知を送信可能な無線式の遠隔操作装置とを備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態との間を切り換え可能な紙幣収納ユニットと、
前記紙幣収納ユニットを、前記取り出し阻止状態に施錠するロック機構部と、
外部より入力される解錠指示信号の有無を判定する解錠指示判定手段と、
前記複数の貸出処理機のうち、個別の貸出処理機を解錠対象として設定した個別暗証番号の通知を条件に、前記ロック機構部によって施錠された前記紙幣収納ユニットの解錠をおこなう第１の解錠制御手段と、
前記複数の貸出処理機を、島単位に区分するとともに、当該島単位の貸出処理機を一括解解錠対象として設定した島単位暗証番号の通知を条件に、前記ロック機構部によって施錠された前記紙幣収納ユニットの解錠を許容する第２の解錠制御手段とを備え、
前記遠隔操作装置は、
解錠対象とする個別の貸出処理機に対して解錠指示信号を通知する第１の解錠指示通知手段と、
解錠対象とする島単位の貸出処理機に対して解錠指示信号を通知する第２の解錠指示通知手段と、
解錠対象とする個別の貸出処理機に対して、特定の暗証番号を通知する個別暗証番号通知手段と、
解錠対象とする島単位の貸出処理機に対して、特定の暗証番号を通知する島単位暗証番号通知手段と
を備えることを特徴とする遊技媒体貸出システム。
【請求項３】
前記貸出処理機は、島単位内の複数の貸出処理機のうち、いずれかの貸出処理機に前記第２の解錠指示信号が通知されると、当該貸出処理機が所属する島単位内の全ての貸出処理機の第２の解錠制御手段に対して解錠指令を与える島単位解錠指示手段をさらに備えることを特徴とする請求項２に記載の遊技媒体貸出システム。
【請求項４】
前記暗証番号判定手段は、前記遠隔操作装置から通知される解錠指示通知が個別の貸出処理機を対象とする暗証番号通知か島単位の解錠を対象とする暗証番号通知かを判定する機能を備えることを特徴とする請求項２または３に記載の遊技媒体貸出システム。
【請求項５】
複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置とを備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態との間を切り換え可能な紙幣収納ユニットと、
前記紙幣収納ユニットを、前記取り出し阻止状態に施錠するロック機構部と、
外部より入力される解錠指示信号の有無を判定する解錠指示判定手段と、
前記複数の貸出処理機のうち、個別の貸出処理機を解錠対象として設定した個別暗証番号の通知を条件に、前記ロック機構部によって施錠された前記紙幣収納ユニットの解錠を許容する第１の解錠制御手段と、
前記複数の貸出処理機を、島単位別の貸出処理機を一括解錠対象として設定した島単位暗証番号の通知を条件に、前記ロック機構部によって施錠された前記紙幣収納ユニットの解錠を許容する第２の解錠制御手段とを備えるとともに、
解錠対象とする個別の貸出処理機に対して解錠指示信号を通知する第１の解錠指示通知手段と、
解錠対象とする島単位の貸出処理機に対して解錠指示信号を通知する第２の解錠指示通知手段と、
解錠対象とする個別の貸出処理機に対して、特定の暗証番号を通知する個別暗証番号通知手段と、
解錠対象とする島単位の貸出処理機に対して、特定の暗証番号を通知する島単位暗証番号通知手段とを有する入力装置と
を備えることを特徴とする遊技媒体貸出システム。
【請求項６】
前記貸出処理機は、貸出処理機本体を特定する個別の暗証番号である第１の暗証番号を記憶した第１の暗証番号記憶部と、島単位別の暗証番号である第２の暗証番号を記憶した第２の暗証番号記憶部と、当該第１の暗証番号或は第２の暗証番号と、通知された個別暗証番号或は島単位暗証番号との照合をおこなう暗証番号照合手段と、当該暗証番号照合手段により、それぞれの暗証番号が一致するか否かを判定する暗証番号判定手段とを備えることを特徴とする請求項２〜５のいずれか一つに記載の遊技媒体貸出システム。
【請求項７】
前記紙幣収納ユニットおよび前記紙幣収納ユニットの施錠をおこなうロック機構部は、貸出処理機の外部に備えていることを特徴とする請求項１〜６のいずれか一つに記載の遊技媒体貸出システム。
【発明の詳細な説明】
【技術分野】
【０００１】
本発明は、紙幣の受け入れにより、遊技機に対して遊技媒体を貸し出す遊技媒体貸出システムに関し、特に、リモコンによる暗証番号の通知に基づいて、個別の玉貸出処理機或は、複数の玉貸出処理機を対象とする解錠を容易且つ、確実におこなうことができる遊技媒体貸出システムに関するものである。
【背景技術】
【０００２】
従来より、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。また、プリペイドカードなどのカード媒体を使用する遊技媒体貸出システムの他、紙幣の投入によって遊技機に対して遊技媒体を貸出す遊技媒体貸出システムも知られている。
【０００３】
ここで、かかるパチンコ機およびパチスロ機などの貸出処理機は、遊技客により投入された紙幣を収納する紙幣収納ユニットを備えており、通常、この紙幣収納ユニットには、鍵を使用したロック機構により施錠がおこなわれるものが採用されている（例えば、特許文献１参照。）。このため、遊技店の閉店時などには、店員による解錠により紙幣収納ユニット内に収納されている紙幣の回収をおこなうものとなる。また、この種の従来技術としては、リモコンを利用することにより、単体（個別）の玉貸出処理機のみを対象とする解錠や複数の玉貸出処理機に対する解錠を一斉におこなう技術などが知られている。
【０００４】
【特許文献１】特開平１０−８５４３７号公報
【発明の開示】
【発明が解決しようとする課題】
【０００５】
しかしながら、上述した従来の玉貸出処理機における解錠方法の場合には、以下のような問題点がある。すなわち、上記の従来技術では、不正を目的とする人物に貸出処理機の鍵を入手されてしまった場合、その鍵は誰にでも容易に使用することができるため、紙幣収納ユニットに収納された紙幣に対する不正を防止することができないという問題点があった。
【０００６】
さらに、これに関連して、上記の従来技術における鍵による施錠方式の場合には、紙幣の回収時に各貸出処理機の鍵をその都度、解錠する必要があるため、紙幣の回収作業に手間（時間）がかかり作業効率の面で問題があった。また、リモコンを利用する従来技術の場合、通常では、単体（個別）の玉貸出処理機を対象とする解錠と複数の玉貸出処理機を一斉に解錠する操作とは同一（同じ解錠キー）であるため、個別の玉貸処理機を解錠しようとした際に、複数の玉貸出処理機が解錠されるなどの不具合が発生する恐れがある。
【０００７】
この発明は、上記従来技術による課題を解決するためになされたものであり、リモコンによる暗証番号の通知に基づいて、単体（個別）の玉貸出処理機或は、複数の玉貸出処理機を対象とする解錠を確実におこなうことができるうえ、紙幣回収作業効率を向上でき、且つ第三者による紙幣の抜き取りなどの不正行為の発生を低減できる遊技媒体貸出システムを提供することを目的とする。
【課題を解決するための手段】
【０００８】
上述した課題を解決し、目的を達成するために、請求項１に記載の発明は、複数の遊技機に並設されるとともに、紙幣の受け入れにより、当該遊技機に対する遊技媒体の貸し出し処理をおこなう複数の貸出処理機と、当該複数の貸出処理機と通信可能な無線式の遠隔操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、入力される解錠指示信号の有無を判定する解錠指示判定手段と、入力される特定の暗証番号の真偽を判定する暗証番号判定手段と、前記解錠指示信号および前記特定の暗証番号に対応して、前記ロック機構部の解錠をおこなう解錠制御手段とを備え、前記遠隔操作装置は、解錠対象とする貸出処理機に対して解錠指示信号を通知する解錠指示通知手段と、解錠対象とする貸出処理機に対して、特定の暗証番号を通知する暗証番号通知手段とを備えることを特徴とする。
【０００９】
また、請求項２に記載の発明は、複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置と、解錠指示通知を送信可能な無線式の遠隔操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、外部より入力される解錠指示信号の有無を判定する解錠指示判定手段と、前記複数の貸出処理機のうち、個別の貸出処理機を解錠対象として設定した個別暗証番号の通知を条件に、前記ロック機構部によって施錠された前記紙幣収納ユニットの解錠をおこなう第１の解錠制御手段と、前記複数の貸出処理機を、島単位に区分するとともに、当該島単位の貸出処理機を一括解解錠対象として設定した島単位暗証番号の通知を条件に、前記ロック機構部によって施錠された前記紙幣収納ユニットの解錠を許容する第２の解錠制御手段とを備え、前記遠隔操作装置は、解錠対象とする個別の貸出処理機に対して解錠指示信号を通知する第１の解錠指示通知手段と、解錠対象とする島単位の貸出処理機に対して解錠指示信号を通知する第２の解錠指示通知手段と、解錠対象とする個別の貸出処理機に対して、特定の暗証番号を通知する個別暗証番号通知手段と、解錠対象とする島単位の貸出処理機に対して、特定の暗証番号を通知する島単位暗証番号通知手段とを備えることを特徴とする。
【００１０】
また、請求項３に記載の発明は、請求項２に記載の発明において、前記貸出処理機は、島単位内の複数の貸出処理機のうち、いずれかの貸出処理機に前記第２の解錠指示信号が通知されると、当該貸出処理機が所属する島単位内の全ての貸出処理機の第２の解錠制御手段に対して解錠指令を与える島単位解錠指示手段をさらに備えることを特徴とする。
【００１１】
また、請求項４に記載の発明は、請求項２または３に記載の発明において、前記暗証番号判定手段は、前記遠隔操作装置から通知される解錠指示通知が個別の貸出処理機を対象とする暗証番号通知か島単位の貸出処理機を対象とする暗証番号通知かを判定する機能を備えることを特徴とする。
【００１２】
また、請求項５に記載の発明は、前記暗証番複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、外部より入力される解錠指示信号の有無を判定する解錠指示判定手段と、前記複数の貸出処理機のうち、個別の貸出処理機を解錠対象として設定した個別暗証番号の通知を条件に、前記ロック機構部によって施錠された前記紙幣収納ユニットの解錠を許容する第１の解錠制御手段と、前記複数の貸出処理機を、島単位別の貸出処理機を一括解錠対象として設定した島単位暗証番号の通知を条件に、前記ロック機構部によって施錠された前記紙幣収納ユニットの解錠を許容する第２の解錠制御手段とを備えるとともに、解錠対象とする個別の貸出処理機に対して解錠指示信号を通知する第１の解錠指示通知手段と、解錠対象とする島単位の貸出処理機に対して解錠指示信号を通知する第２の解錠指示通知手段と、解錠対象とする個別の貸出処理機に対して、特定の暗証番号を通知する個別暗証番号通知手段と、解錠対象とする島単位の貸出処理機に対して、特定の暗証番号を通知する島単位暗証番号通知手段とを有する入力装置とを備えることを特徴とする。
【００１３】
また、請求項６に記載の発明は、請求項２〜５のいずれか一つに記載の発明において、前記貸出処理機は、貸出処理機本体を特定する個別の暗証番号である第１の暗証番号を記憶した第１の暗証番号記憶部と、島単位別の暗証番号である第２の暗証番号を記憶した第２の暗証番号記憶部と、当該第１の暗証番号或は第２の暗証番号と、通知された個別暗証番号或は島単位暗証番号との照合をおこなう暗証番号照合手段と、当該暗証番号照合手段により、それぞれの暗証番号が一致するか否かを判定する暗証番号判定手段とを備えることを特徴とする。
【００１４】
また、請求項７に記載の発明は、請求項１〜６のいずれか一つに記載の発明において、前記紙幣収納ユニットおよび前記紙幣収納ユニットの施錠をおこなうロック機構部は、貸出処理機の外部に備えることを特徴とする。
【発明の効果】
【００１５】
本発明の請求項１に記載の発明によれば、複数の遊技機に並設されるとともに、紙幣の受け入れにより、当該遊技機に対する遊技媒体の貸し出し処理をおこなう複数の貸出処理機と、当該複数の貸出処理機と通信可能な無線式の遠隔操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、入力される解錠指示信号の有無を判定する解錠指示判定手段と、入力される特定の暗証番号の真偽を判定する暗証番号判定手段と、前記解錠指示信号および前記特定の暗証番号に対応して、前記ロック機構部の解錠をおこなう解錠制御手段とを備え、前記遠隔操作装置は、解錠対象とする貸出処理機に対して解錠指示信号を通知する解錠指示通知手段と、解錠対象とする貸出処理機に対して、特定の暗証番号を通知する暗証番号通知手段とを備えることとしたので、紙幣収納ユニットの施錠／解錠をおこなう鍵が不用となり、これによって、施錠／解錠作業効率の向上が図れるうえ、遠隔操作装置による特定の暗証番号の通知操作によってのみ、紙幣収納ユニットが解錠することから、他の遠隔操作装置による誤解錠および不正な解錠操作を防止でき、遊技媒体貸出システムの安全性の向上が図れるという効果を奏する。
【００１６】
また、請求項２に記載の発明によれば、複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置と、解錠指示通知を送信可能な無線式の遠隔操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、外部より入力される解錠指示信号の有無を判定する解錠指示判定手段と、前記複数の貸出処理機のうち、個別の貸出処理機を解錠対象として設定した個別暗証番号の通知を条件に、前記ロック機構部によって施錠された前記紙幣収納ユニットの解錠をおこなう第１の解錠制御手段と、前記複数の貸出処理機を、島単位に区分するとともに、当該島単位の貸出処理機を一括解解錠対象として設定した島単位暗証番号の通知を条件に、前記ロック機構部によって施錠された前記紙幣収納ユニットの解錠を許容する第２の解錠制御手段とを備え、前記遠隔操作装置は、解錠対象とする個別の貸出処理機に対して解錠指示信号を通知する第１の解錠指示通知手段と、解錠対象とする島単位の貸出処理機に対して解錠指示信号を通知する第２の解錠指示通知手段と、解錠対象とする個別の貸出処理機に対して、特定の暗証番号を通知する個別暗証番号通知手段と、解錠対象とする島単位の貸出処理機に対して、特定の暗証番号を通知する島単位暗証番号通知手段とを備えることとしたので、個別の貸出処理機の解錠を対象とする暗証番号と島単位の複数の貸出処理機の解錠を対象とする暗証番号をそれぞれ特定の暗証番号として設定することができるとともに、遠隔操作装置による特定の暗証番号の通知に基づいて、単体（個別）の貸出処理機を対象とする解錠或は、複数の貸出処理機を対象とする一括解錠を確実におこなうことができ、これによって、操作性および紙幣回収効率を向上できるという効果を奏する。
【００１７】
また、請求項３に記載の本発明によれば、前記貸出処理機は、島単位内の複数の貸出処理機のうち、いずれかの貸出処理機に前記第２の解錠指示信号が通知されると、当該貸出処理機が所属する島単位内の全ての貸出処理機の第２の解錠制御手段に対して解錠指令を与える島単位解錠指示手段をさらに備えることとしたので、１台の貸出処理機に対する解錠指示により、該当する島内の他の貸出処理機に対する解錠を同時におこなうことができ、この一括解錠により操作性および紙幣回収効率を向上できるという効果を奏する。
【００１８】
また、請求項４に記載の発明によれば、前記暗証番号判定手段は、前記遠隔操作装置から通知される解錠指示通知が個別の貸出処理機を対象とする暗証番号通知か島単位の貸出処理機を対象とする暗証番号通知かを判定する機能を備えるので、個別の貸出処理機或いは島単位の貸出処理機を対象とする解錠を誤解錠なく確実におこなうことができるという効果を奏する。
【００１９】
また、請求項５に記載の発明によれば、前記暗証番複数の遊技機に並設されるとともに、紙幣の受け入れにより、当該遊技機に対する遊技媒体の貸し出し処理をおこなう複数の貸出処理機と、当該複数の貸出処理機と通信接続された中継通信装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態との間を切り換え可能な紙幣収納ユニットと、前記紙幣収納ユニットを、前記取り出し阻止状態に施錠するロック機構部と、外部より入力される解錠指示信号の有無を判定する解錠指示判定手段と、前記複数の貸出処理機のうち、個別の貸出処理機を解錠対象として設定した個別暗証番号の通知を条件に、前記ロック機構部によって施錠された前記紙幣収納ユニットの解錠を許容する第１の解錠制御手段と、前記複数の貸出処理機を、島単位別の貸出処理機を一括解錠対象として設定した島単位暗証番号の通知を条件に、前記ロック機構部によって施錠された前記紙幣収納ユニットの解錠を許容する第２の解錠制御手段とを備えるとともに、解錠対象とする個別の貸出処理機に対して解錠指示信号を通知する第１の解錠指示通知手段と、解錠対象とする島単位の貸出処理機に対して解錠指示信号を通知する第２の解錠指示通知手段と、解錠対象とする個別の貸出処理機に対して、特定の暗証番号を通知する個別暗証番号通知手段と、解錠対象とする島単位の貸出処理機に対して、特定の暗証番号を通知する島単位暗証番号通知手段とを有する入力装置とを備えることとしたので、入力装置により解錠対象とする貸出処理機に対して、直接解錠指示をおこなうことができることから、誤解錠のない紙幣の回収作業をおこなうことができるという効果を奏する。
【００２０】
また、請求項６に記載の発明によれば、前記貸出処理機は、貸出処理機本体を特定する個別の暗証番号である第１の暗証番号を記憶した第１の暗証番号記憶部と、島単位別の暗証番号である第２の暗証番号を記憶した第２の暗証番号記憶部と、当該第１の暗証番号或は第２の暗証番号と、通知された個別暗証番号或は島単位暗証番号との照合をおこなう暗証番号照合手段と、当該暗証番号照合手段により、それぞれの暗証番号が一致するか否かを判定する暗証番号判定手段とを備えることとしたので、通知される特定の暗証番号の判定により単体（個別）の貸出処理機或は、複数の貸出処理機を対象とする解錠を、誤解錠なく確実におこなうことができるという効果を奏する。
【００２１】
また、請求項７に記載の発明によれば、前記紙幣収納ユニットおよび前記紙幣収納ユニットの施錠をおこなうロック機構部は、貸出処理機の外部に備えているので、貸出処理機自体の構成の簡略化および小型化を図ることができるという効果を奏する。
【発明を実施するための最良の形態】
【００２２】
以下に、添付図面を参照して、この発明に係る遊技媒体貸出システムの好適な実施例を詳細に説明する。なお、以下に示す実施例では、本発明に係る遊技媒体貸出システムをパチンコ遊技に適用した場合を示すこととする。なお、この実施例によりこの発明が限定されるものではない。
【実施例１】
【００２３】
ここで、かかる遊技媒体貸出システムにおいては、希望する（解錠対象）玉貸出処理機２０（請求項の貸出処理機に対応）の解錠をおこなう場合、リモコン９０（請求項の遠隔操作装置に対応）による入力操作により予め設定された暗証番号を入力するとともに、個別の玉貸出処理機２０或は、島単位に区分された複数の玉貸出処理機２０を解錠対象として解錠指示通知および特定の暗証番号通知を送信する解錠制御処理に主たる特徴があり、これによって、紙幣の回収を目的としたＢＶユニット部５０の解錠を個別の玉貸出処理機２０と島単位などの複数（グループ別）の玉貸出処理機２０とに分けて確実に実行できるようにしている。
【００２４】
この主たる特徴を具体的に説明すると、リモコン９０を使用して個別の玉貸出処理機２０のＢＶユニット部５０に対する解錠をおこなう場合には、解錠を対象とする個別の玉貸出処理機２０に対してリモコン９０によるテンキー操作により予め設定された（個別）暗証番号および解錠指示通知（個別解錠キー９５による解錠指示通知）を送信するもので、玉貸出処理機２０は、リモコン９０により送信された「解錠指示通知＋個別暗証番号」を受信し、この個別暗証番号と本体２１内のメモリ２７に予め記憶されている第１の暗証番号との照合をおこない、個別暗証番号と第１の暗証番号とが一致する場合には、該当する玉貸出処理機２０のＢＶロック機構部５３によるロックが解除される。個別暗証番号や後述する複数解錠用の暗証番号は、所定以上の資格を有する幹部店員のみに予め知らされているものである。
【００２５】
また、リモコン９０を使用して複数（本例では、島単位）の玉貸出処理機２０のＢＶユニット部５０に対する解錠をおこなう場合には、解錠を対象とする複数の玉貸出処理機２０（実際には、島内にある複数の玉貸出処理機２０のうちの１台）に対してリモコン９０によるテンキー操作により予め設定された第２の（島単位用）暗証番号および解錠指示通知（島解錠キー９８よる解錠指示通知）を送信するもので、玉貸出処理機２０は、リモコン９０により送信された「解錠指示通知＋第２の暗証番号」を受信し、この第２の暗証番号が本体２１内のメモリ２７に予め記憶されている第２の暗証番号との照合をおこない、暗証番号が一致する場合には、リモコン９０による送信を受信したＢＶロック機構部５３によるロックが解除されものとなる。この場合、この玉貸出処理機２０からは、この玉貸出処理機２０と同一の島内にある玉貸出処理機２０に対して、解錠指示が送信されるものとなる。すなわち、これによって、紙幣の回収を目的とした島単位などの複数（グループ別）の玉貸出処理機２０に対する解錠を容易且つ、確実に実行できるようにしている。
【００２６】
以下、本実施例に係る遊技媒体貸出システムの概要を説明する。図１は、本発明の実施例に係る遊技媒体貸出システムの概要を示す説明図である。図２は、本発明の実施例に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００２７】
すなわち、図１、２に示すように、この遊技媒体貸出システムでは、それぞれ「島」と呼ばれるグループごとに複数の遊技機（以下、『パチンコ機』と称する）が並設されるとともに、これらパチンコ機１０にはそれぞれ１台ずつペアとなるように遊技媒体貸出処理機（以下、『玉貸出処理機』と称する）がパチンコ機１０の相互間に挟まれるように据置されており、遊技客により各玉貸出処理機２０に投入された紙幣（現金）による入金情報は売上情報として、中継器３００を介して接続された管理サーバ２００に対して送信され、この管理サーバ２００により各玉貸出処理機２０の売上情報（金額）が個別に管理されている。ここで、本例による入金情報は１０００円単位の現金情報としている。
【００２８】
さらに、この管理サーバ２００は、第三者機関によって管理される中央管理装置１００に接続され、管理サーバ２００により集計された各玉貸出処理機２０の売上情報は、中央管理装置１００に対して送信される。以上のように、中央管理装置１００により複数の遊技店（遊技店Ａ、Ｂ、Ｃ・・）の総売上金額を統括的に管理する遊技媒体貸出システムが構築されている。
【００２９】
このため、玉貸出処理機２０および枠体３０のそれぞれには、予め個別の識別ＩＤ（玉貸出処理機２０の本体識別ＩＤ、枠体３０の枠体識別ＩＤ）が付与されており、これら２つの識別ＩＤは、玉貸出処理機２０の電源ＯＮ時（遊技店の開店時、玉貸出処理機本体の交換時など）、この玉貸出処理機２０から管理サーバ２００に対して通信により通知され、管理サーバ２００内に設けられた管理サーバデータベース２１０内に自動的に登録され、以降、各玉貸出処理機２０は、遊技客により投入された紙幣による入金毎に管理サーバ２００に対して入金額（売上金額）をリアルタイムに通知するものとなる。
【００３０】
一方、管理サーバ２００では、玉貸出処理機２０からの通信情報（売上金額）を受信し、玉貸出処理機２０の識別ＩＤに関連付けて、更新および集計をおこなう。なお、遊技店内にはパチンコ機１０および玉貸出処理機２０に接続されたホールコンピュータ（図示せず）が備えられており、このホールコンピュータにより賞球、出球率など遊技情報に基づいて遊技店内の総売上を管理するものとしている。
【００３１】
以下、本実施例１における構成要素の詳細を説明する。すなわち、本実施例１における玉貸出処理機２０は、遊技客により投入された紙幣（１０００円札の現金）により所定数の遊技玉を貸し出すようにパチンコ機１０へ指示を与える機能とともに、この紙幣投入時の入金情報をメモリ２７内（図８）に一時記憶し、この入金情報を売上情報としてリアルタイムで管理サーバ２００に通知する機能を備えている。
【００３２】
このため、各玉貸出処理機２０と管理サーバ２００とは中継器３００を介して通信自在に構成されている。前述したように、本例では玉貸出処理機２０に投入する紙幣としては、１０００円紙幣を対象としている。
【００３３】
中継器３００（ＨＵＢ）は、各「島」内に１基づつ据置されており、各「島」内のネットワークケーブルを束ねる集線装置（コンセントレータ）としての機能を備えている。本システムでは、それぞれの中継器３００は、シリアル接続（ディジーチェーン）により構成されている。後述するように、この中継器３００は、島内にある複数の玉貸出処理機２０のうちの１台がリモコン９０から（島単位の）解錠指示通知を受信した際に他の玉貸出処理機２０に対して、同様の解錠指示を通信する機能を備えている。
【００３４】
図３に示すように、管理サーバ２００は、管理サーバデータベース２１０、制御部２１５、表示部２１６、通信Ｉ／Ｆ２２０とを備えている。この管理サーバ２００は、各貸出機２０に投入された紙幣による入金情報を個別の売上情報として取得する機能を備えている。
【００３５】
具体的には、各玉貸出処理機２０の識別ＩＤ（本体識別ＩＤ、枠体識別ＩＤ）に基づいて、個々の玉貸出処理機２０毎に投入された紙幣による入金情報を売上情報として集計し管理する機能を備えている。玉貸出処理機２０による売上情報は、リアルタイムで管理サーバ２００に送信され、管理サーバ２００内に備えた管理サーバデータベース２１０に格納されるものとなる。
【００３６】
入力部２１７は、管理サーバ２００により制御（指示）される各種の設定を入力する入力手段であり、キーボード（テンキー）、マウス、トラックボールなどにより構成される。この管理サーバ２００による入力部２１７の操作は、遊技店を管理する管理責任者（店長、経営者など）によりおこなわれる。
【００３７】
表示部２１６は、管理サーバ２００の操作をおこなう管理責任者に対して、メニュー画面を表示として出力する出力手段であり、モニタなどにより構成される。
【００３８】
通信Ｉ／Ｆ２２０は、玉貸出処理機２０の通信Ｉ／Ｆ２６（図８）および中継器３００を介して各玉貸出処理機２０による売上情報を通信により受信する機能および中央管理装置１００の通信Ｉ／Ｆ１３０（図４）を介して管理サーバ２００により集計された各玉貸出処理機２０の売上情報を送信する機能を備えている。なお。この管理サーバ２００は、遊技店内に配置されているが中央管理装置１００を管理する第三者機関により設置される。
【００３９】
図４に示すように、中央管理装置１００は、中央管理制御部１１０、表示部１１５、通信Ｉ／Ｆ１３０、遊技店管理データベース１２０とを備えている。この中央管理装置１００は、各遊技店（遊技店Ａ、Ｂ、Ｃ・・）に配置された管理サーバ２００との間で相互に通信をおこなうことにより、主として、管理サーバ２００が取得した玉貸出処理機２０の売上情報に基づいて、各遊技店毎の総売上集計、各玉貸出処理機２０の管理などをおこなう機能を備えている。具体的には、管理サーバ２００から送信される各玉貸出処理機２０による売上情報が遊技店の総売上情報として、遊技店管理データベース１２０内に格納することができる。
【００４０】
次に、図５〜８を参照して玉貸出処理機２０およびパチンコ機１０における構成の詳細について説明する。図５は、図２に示した遊技媒体貸出システムで適用する玉貸出処理機２０およびパチンコ機１０の外観正面図、図６は、玉貸出処理機２０を示す側面図（枠体３０との連結状態）、図７は、枠体３０と玉貸出処理機２０との分離状態を示す図をそれぞれ示している。図８は、玉貸出処理機２０の概要構成を示す機能ブロック図である。
すなわち、図５に示すように、玉貸出処理機２０は、外見上縦長に構成したもので、玉貸出処理機２０の本体部２１と、この本体部２１よりも前方（図６の右側）に向けて僅かに突出するように形成されたＢＶユニット部５０とを備えている。
【００４１】
後述するように、このＢＶユニット部５０は、リモコン９０による解錠操作により本体部２１から自動的に突出可能に構成されている。また、玉貸出処理機２０の本体部２１の前面パネルには、表示ランプ部２２、表示部２３、リモコン用受光部２４とを備えている。
【００４２】
ここで、図６、７に示すように、この玉貸出処理機２０は遊技店内に取り付け固定された枠体３０に対して着脱自在となっており、具体的には、玉貸出処理機２０を枠体３０に対して連結させ玉貸出処理機２０および枠体３０の上下に位置するコネクタを相互に嵌め込むことにより、この玉貸出処理機２０をパチンコ機１０に隣接した位置に据置することができる。
【００４３】
表示ランプ部２２は、玉貸出処理機２０の稼働状態を３色（緑色、赤色、黄色）のランプにより報知する機能を備えている。具体的に説明すると、緑色ランプの点灯は、正常動作を、赤色ランプの点灯は、玉貸出処理機２０に何らかの異常が発生して使用が不可能な状態を、黄色ランプの点灯は、上位機器（中継器３００、管理サーバ２００など）との通信経路に異常が生じているオフライン状態をそれぞれ示している。
【００４４】
表示部２３は、紙幣入金時の入金額、玉の貸し出し時の貸し出し金額、玉貸出処理機２０に異常が発生した際の、エラー状態をエラーコードなどで表示する機能を備えている。
【００４５】
リモコン用受光部２４は、リモコンから送信された送信信号に基づいて、玉貸出処理機２０のエラー状態をリセットするエラーリセット信号、解錠指示信号などを受信する機能を備えている。後述するように、リモコン９０による解錠許可信号を受信した際には、ＢＶユニット部５０におけるＢＶロック機構部５３によるロック（施錠）が解錠されるものとなる。
【００４６】
制御部２５は、玉貸出処理機２０における各処理を一括してコントロールする制御機能を備えており、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、解錠指示有無判定部４０と、第１の暗証番号照合部４１と、第２の暗証番号照合部４２と、暗証番号判定部４３と、解錠指示通知制御部４４と、玉貸制御部４５とを備える。
【００４７】
解錠指示有無判定部４０は、リモコン９０から解錠指示が通知されたか否かを判定する機能を備えている。第１の暗証番号照合部４１は、リモコン９０から送信された個別の玉貸出処理機２０を解錠対象とする個別の暗証番号とメモリ２７内の第１の暗証番号記憶部２９ａに格納された暗証番号とを照合する機能を備えている。
【００４８】
第２の暗証番号照合部４２は、リモコン９０から送信された複数の玉貸出処理機２０を解錠対象とする暗証番号とメモリ２７内の第２の暗証番号記憶部２９ｂに記憶されている暗証番号とを照合する機能を備えている。
【００４９】
暗証番号判定部４３は、第１、２の暗証番号照合部４１、４２により照合された結果により、暗証番号の真偽を判定する機能を備えている。解錠指示通知制御部４４は、島内にある複数の玉貸出処理機２０のうちの１台がリモコン９０から（島単位の）解錠指示通知を受信した際に他の玉貸出処理機２０に対して、同様の解錠指示を通知する機能を備えている。玉貸制御部４５は、パチンコ機１０に対して貸し玉の投出を指示する機能とを備えている。
【００５０】
通信Ｉ／Ｆ２６（インターフェース）は、中継器３００を介して管理サーバ２００に対して各玉貸出処理機２０による売上情報をリアルタイム通信により送信する機能と、他の玉貸出処理機２０に対して解錠指示通知を伝達する機能を備えている。メモリ２７は、売上情報を記憶する機能を備えており、このメモリ２７の内部には、パチンコ機１０の遊技台番号に対応するとともに、玉貸出処理機２０の本体識別ＩＤおよび枠体３０の枠体識別ＩＤに関連付けた入金情報を格納する売上情報記憶テーブル２８が設けられている。
【００５１】
ＢＶユニット部５０は、紙幣投入口１５、紙幣収納部５１、紙幣識別部５２、を備えている。紙幣投入口１５は、紙幣（本例では、１０００円札）を受け入れて、この紙幣を紙幣収納部５１に取り込むための開口である。紙幣収納部５１は、遊技客により紙幣投入口１５から投入された紙幣を収納する機能を備えている。つまり、本例では、店員により紙幣収納部５１内に収納された紙幣を回収するようにしている。このため、本例では、投入された紙幣を島端へ搬送する紙幣搬送路および島端で紙幣を回収する紙幣回収ボックスが不要となる。
【００５２】
紙幣識別部５２は、遊技客により紙幣投入口１５から投入された紙幣に対する真偽や金額情報の判定（識別）および金額情報を記憶する紙幣処理機能を備えており、遊技客により投入された紙幣を受け入れて識別し、正常と判定される紙幣については、その識別結果および金額情報は制御部２５に通知される。一方、投入された紙幣が識別不能な紙幣については、紙幣投入口１５を通じて返却するものとなる。
【００５３】
ＢＶロック機構部５３は、ＢＶユニット部５０の施錠をおこなう機構を備えており、このＢＶロック機構部５３によるロック（施錠）の解錠は、遊技店の店員や管理者が所持するリモコンによる解錠指示操作によりおこなわれる。このＢＶロック機構部５３の概略については、後述する。８０は、玉貸出処理機２０に対して、ＡＣ電源（１００Ｖ）による電圧を供給するための電源部である。
【００５４】
一方、枠体３０の上部位置には、ジョイント制御基板３１が設けられており、このジョイント基板３１は、玉貸出処理機２０を入れ替えた際および通信異常状態（オフライン時）の売上情報（データ）の保存用として機能するメモリ３３を備えている。このメモリ３３の内部には、パチンコ機１０の遊技台番号に対応するとともに、玉貸出処理機２０の識別ＩＤおよび枠体３０の識別ＩＤに関連付けた入金情報を格納する売上情報記憶テーブル３３が設けられている。
【００５５】
また、遊技機であるパチンコ機１０は、その前面が遊技領域１１および下方に設けた上皿１２とにより構成され、その内部には玉投出機構部１３が設けてある。この玉投出機構部１３は、制御部２５から貸玉投出要求が与えられた場合、並びにパチンコ機１０による賞玉投出要求が与えられた場合に、それぞれパチンコ機１０の上皿１２に所定数のパチンコ玉を投出する部分である。
【００５６】
次に、図９を参照して、本実施例１におけるＢＶユニット部５０に対する解錠機構について説明する。図９は、リモコン９０による紙幣の回収時におこなわれるロック（施錠）の解錠動作を説明する玉貸処理機２０の斜視図を示している。
【００５７】
すなわち、図９に示すように、ＢＶロック機構部５３は、遊技店の管理者などが所持するリモコン９０による操作（解錠許可信号の送信）に基づいて、ロック機構部５３によるロックが解錠する機構となっている。具体的には、管理者が玉貸出処理機２０のリモコン用受信部２４に向けて、リモコン９０の個別解錠キー９５（図１１参照）をＯＮ操作するとＢＶユニット部５０が玉貸出処理機２０の前方（図９の矢印Ａ方向）に離脱するとともに、紙幣収納部５１（図９）が開口する機構となっている。これにより、紙幣収納部５１に収納された紙幣を回収するものとなる。
【００５８】
一方、ＢＶユニット部５０の装着（施錠）は、前方に突出した状態のＢＶユニット部５０を手で本体２１側（図９の矢印Ｂ方向）に向けて、押し込むことにより、ＢＶロック機構部５３を作動させることができる。後述するように、ロック機構部５３の作動は、ソレノイド６０に対する通電のＯＮ／ＯＦＦによりおこなう。以下、図１０-１および図１０-２を参照して、ＢＶロック機構部５３の詳細を説明する。
【００５９】
すなわち、図１０-１に示すように、ＢＶロック機構部５３は、ソレノイド６０、ロックレバー６１、アンカー板７５、押圧板ばね７１とから構成されている。また、ＢＶユニット部５０の上下位置には、スライドレール７４が設けられているため、このＢＶユニット部５０はスライドレール７４に沿って、装着方向および取り出し方向に平行移動することができる。
【００６０】
アンカー板７５の上端部には押圧板ばね７１の基端部が取り付けられ、この押圧板ばね７１の先端部は、紙幣収納部５１を構成する筐体（ケース）の後端部に当接されている。
【００６１】
このため、常時、ＢＶユニット部５０は、押圧板ばね７１の弾力により、ＢＶユニット部５０が離脱する方向（図１０-２のＡ方向）に向けて押圧されている。ロックレバー６１の先端部には、鉤部６２が形成されており、この鉤部６２は、アンカー板７１に形成された係合ピン７２と係合可能となっている。
【００６２】
また、引っ張りばね７３の一端（図１０の上側）は、アンカー板７１の上部に延出された取り付け部７１ａに、他端（図１０の下側）は、ロックレバー６１の基端部に取り付けられている。このため、ソレノイド６０のＯＦＦ時（非通電時）、ロックレバー６１は、引っ張りばね７３の弾力により支軸７８を支点として、時計方向に偏奇するため、この弾力によりロックレバー６１の鉤部６２とアンカー板７１の係合ピン６２とが係合し、これにより、ＢＶユニット部５０に対するロック（施錠）をおこなわれるものとなる。なお、ソレノイド６０に対する通電のＯＮ／ＯＦＦは、ＢＶユニット制御部５６による通電制御によりおこなわれる。
【００６３】
一方、図１０-２に示すように、ソレノイド６０のＯＮ時（通電時）には、このソレノイド６０の作動（ＯＮ）にともなって、引っ張りばね７３の弾力に抗して、ロックレバー６１の鉤部６２とアンカー板７１の係合ピン７２との係合が外れる。これにより、ＢＶユニット部５０は、押圧板ばね７１の押圧力により、スライドレール７４に沿って、図１０-２の矢印Ａ方向に向けて離脱する。これにより、ＢＶユニット部５０に対する解錠をおこなうことができる。また、前述したように、ＢＶユニット部５０に対する施錠は、このＢＶユニット部５０を手により、図１０-２の矢印Ｂ方向に向けて、押し込むことにより容易におこなうことができる。
【００６４】
以上のように、本例のロック機構部５３の場合には、リモコンによる操作で簡単に解錠をおこなうことができ、ロック（施錠）は手動により容易におこなうことができるため、従来のように店員が解錠時およびロック時に解錠用の鍵を玉貸出処理機２０の鍵穴へ挿入して操作する必要がなくなるうえ、紙幣収納部５１内の紙幣を島端へ搬送する紙幣搬送機構や島端で紙幣を回収する紙幣収納金庫などが不要となり、コスト削減およびセキュリティの面で有効である。
【００６５】
次に、本発明の遊技媒体貸出システムにおいて適用されるリモコンの概要について説明する。図１１-１は、遊技店の管理者などが所持する管理者用のリモコン、図１１-２は、一般の係員（店員）が所持するリモコンをそれぞれ示す外観図である。また、図１２は、リモコンの概略を示す機能ブロック図を示している。
【００６６】
管理者用のリモコン９０は、赤外線を送出する発光ダイオード（ＬＥＤ）などを備えた無線式の遠隔操作装置である。すなわち、図１１-１に示すように、リモコン９０構成する前面パネル部には、エラーの発生時に、リセット処理をおこなうリセットキー９２、操作の設定をおこなう設定キー９３、操作の取り消しをおこなう取消キー９４、解錠許可通知を設定する個別解錠キー９５、送りキー９６、戻しキー９７などの設定入力部９１（図１２）および個別の玉貸出処理機２０或は、複数の玉貸出処理機２０を解錠対象とする暗証番号（例えば、５桁）を入力するためテンキー（０〜９）などのテンキー入力部９８が設けられている。
【００６７】
図１２は、リモコン９０の概要を示す機能ブロック図である。すなわち、リモコン９０は、制御部８５と、メモリ８６と、ＬＥＤ送信部８７と、設定入力部９１と、テンキー入力部９８とから構成されている。ＬＥＤ送信部８７は、玉貸出処理機２０のリモコン用受光部２４（図８）に赤外線信号を送信し、ＢＶロック機構部５３の作動（ＯＮ）を指示するＬＥＤなどからなる赤外線送信部である。
【００６８】
メモリ８６は、テンキー入力部９８により入力された暗証番号を一時的に記憶する機能を備えている。なお、図１０-２に示した店員用のリモコンは、管理者用のリモコンに比べて操作キーの数が少なく、機能が限定されており、主に玉貸出処理機２０に発生したエラー表示などのリセット処理をおこなう際に使用される。
【００６９】
図１３は、本発明の遊技媒体貸出システムの基本制御手順を説明するフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）（５）閉店時設定工程（ステップＳＡ５００）の５つの処理工程により構成されている。先ず、これら（１）〜（５）の各制御工程についての概略を説明する。
【００７０】
（１）開店時設定工程
開店時設定工程は、管理サーバ２００により実行される遊技店における開店処理であり、第三者機関によって管理される中央管理装置１００および遊技店内の各玉貸出処理機２０に対して、開店通知を送信する処理工程である。
【００７１】
すなわち、前述したように玉貸出処理機２０および枠体３０には、予め個別の識別ＩＤ（玉貸出処理機の本体識別ＩＤ、枠体の枠体識別ＩＤ）が付与されており、これら２つの識別ＩＤは、玉貸出処理機２０の電源ＯＮ時、玉貸出処理機２０から管理サーバ２００に対して通知されるとともに、各玉貸出処理機２０の本体識別ＩＤ、枠体の枠体識別ＩＤは、管理サーバ２００内に設けられた管理サーバデータベース２１０に自動的に登録される。以降、管理サーバ２００は、各玉貸出処理機２０から通知される売上情報を管理サーバデータベース２１０内に格納するとともに、紙幣の投入にともない売上情報の更新をおこなうものとなる。
【００７２】
（２）オンライン制御工程（通常時）
オンライン制御工程は、遊技客によって玉貸出処理機２０に対して現金（紙幣）が投入された際、この玉貸出処理機２０からパチンコ機１０に対して、玉を貸し出す玉貸し出し命令を通知するとともに、投入された紙幣による売上情報を玉貸出処理機２０の本体識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間毎におこなうようにしてもよい。
【００７３】
（３）紙幣回収工程
紙幣回収工程は、遊技店の管理者が所持するリモコンの操作により玉貸出処理機２０に備えたＢＶユニット部５０の解錠をおこない、このＢＶユニット部５０の紙幣収納部５１内に収納されている紙幣を回収する処理工程であり、遊技店の営業時間内および閉店時に適宜おこなうことができる。
【００７４】
（４）定期通信工程
定期通信工程は、遊技店の営業時間内において、管理サーバ２００と中央管理装置１００との間で実施される相互間の接続状態やエラーログなどを定期的に確認する処理工程である。
【００７５】
（５）閉店時設定工程
閉店時設定工程は、各玉貸出処理機２０から送信された売上情報を管理サーバ２００により集計し、集計データとして中央管理装置１００に対して送信する処理工程である。この際、管理サーバから閉店通知信号が中央管理装置１００および玉貸出処理機２０に対して送信される。
【００７６】
以下、図１４のフローチャートを参照して、本実施例１における全体制御処理手順を説明する。この図１４に示すフローチャートは、管理サーバ２００と玉貸出処理機２０との間でおこなわれる処理手順である。すなわち、遊技客により玉貸出処理機２０の紙幣投入口１５に紙幣（１０００円札）が投入されると（ステップＳ１００）、ＢＶユニット部５０は、投入された紙幣の真偽を紙幣識別部５２により正常な紙幣か否かを判定する（ステップＳ１１０）。そして、ステップＳ１１０による判定により紙幣が不良紙幣と判定された場合には（ステップＳ１１０否定）、紙幣投入口１５を通じて不良紙幣の返却をおこなう（ステップＳ１１５）。
【００７７】
一方、投入された紙幣が正常な紙幣と判定された場合には（ステップＳ１１０肯定）、この紙幣を紙幣収納部５１内に収納するとともに、次の、ステップＳ１２０による玉貸出し処理に移行する（ステップＳ１２０）。具体的には、パチンコ機１０の玉投出機構部１３に対して、１０００円分の玉の貸し出しをおこなうように指示し、この玉投出機構部１３から貸玉が投出される。
【００７８】
これにより、パチンコ機１０の上皿１２には、１０００円分の玉の投出がおこなわれ、遊技客による遊技が可能となる。以下、玉貸出処理機２０では、遊技客により投入された入金情報を売上情報として、この売上情報をメモリ２７内の売上情報記憶テーブル２８内に格納する（ステップＳ１３０）。
【００７９】
図１５は、玉貸出処理機２０のメモリ２７内および枠体３０のメモリ３２内に備えられた売上情報記憶テーブル２８（３３）の一例を示している。同図に示すように、売上情報記憶テーブル２８（３３）は、各遊技店を個別に識別する遊技店コード、玉貸出処理機本体を特定する本体識別ＩＤ、枠体を特定する枠体識別ＩＤ、遊技台の番号、売上金額、取引時に設定される取引識別ＩＤという６項目のフィールドが設けられている。
【００８０】
すなわち、図１５は、台番号１００番のパチンコ機１０で遊技をおこなう遊技客が玉貸出処理機２０（本体識別ＩＤ：ＸＸＸＸ１、枠体識別ＩＤ：ＹＹＹＹ１）に１０００円投入したときの売上情報記憶テーブル２８および台番号１０１番のパチンコ機１０で遊技をおこなう遊技客が玉貸出処理機２０（本体識別ＩＤ：ＸＸＸＸ２、枠体識別ＩＤ：ＹＹＹＹ２）に１０００円投入したときの売上情報記憶テーブル２８を示している。そして、これら各フィールドには、遊技客が玉貸出処理機２０に紙幣を投入する都度、記憶データとして格納され、この売上情報記憶テーブル２８内の売上情報は識別ＩＤ（本体識別ＩＤ、枠体識別ＩＤ）とともに、リアルタイムで管理サーバ２００に通知される。
【００８１】
図１４のフローチャートに戻り、玉貸出処理機２０では、通信Ｉ／Ｆ２６を通じて管理サーバ２００に対して識別ＩＤに対応付けた売上情報の通知をおこなう（ステップＳ１４０）。一方、管理サーバ２００では、玉貸出処理機２０による売上情報の通知を受信し（ステップＳ１５０）、この売上情報を管理サーバデータベース２１０内に格納する（ステップＳ１６０）。
【００８２】
次いで、同一の識別ＩＤがあるか否かの判定をおこない（ステップＳ１７０）、同一の識別ＩＤがある場合には（ステップＳ１７０肯定）、同一の識別ＩＤに関連付けて売上情報の更新をおこなう（ステップＳ１８０）。また、ステップＳ１７０の判定により、同一の識別ＩＤでない場合には（ステップＳ１７０否定）、エラー処理となる（ステップＳ１７１）。全ての玉貸出処理機２０の識別ＩＤは、この玉貸出処理機２０の電源ＯＮ時に管理サーバ２００に通知されており、通常はありえない。
【００８３】
以下、ステップＳ１８０により更新および集計された売上情報は、管理サーバ２００から中継器３００を通じて中央管理装置１００に対して送信される（ステップＳ１９０）。中央管理装置１００では、管理サーバ２００から通知された各玉貸出処理機２０による売上情報に基づいて、遊技店の総売上情報の管理をおこなうものとなる。
【００８４】
図１６は、管理サーバ２００内に備えられた管理サーバデータベース２１０の一例を示している。同図に示すように、管理サーバデータベース２１０は、各遊技店を個別に識別する遊技店コード、取引時（紙幣投入時）の日付を示す取引日付、玉貸出処理機本体を特定する本体識別ＩＤ、枠体を特定する枠体識別ＩＤ、遊技台の番号、売上金額、取引時に設定される取引識別ＩＤという７項目のフィールドが設けられている。
【００８５】
この管理サーバデータベース２１０の各フィールドのうち売上金額は、玉貸出処理機２０から通知される識別ＩＤに関連付けられた売上情報に基づいて、照合がおこなわれるとともに、更新処理により更新された売上情報（金額）は、所定のタイミングに中央管理装置１００へ送信される。
【００８６】
次いで、管理サーバ２００により紙幣の回収指示があるか否かの判定をおこない（ステップＳ２００）、紙幣の回収指示がある場合には（ステップＳ２００肯定）、紙幣回収工程へと移行する（ステップＳ２１０）。ここで、前述したように本発明では、紙幣回収工程のうちで、紙幣回収にともなう玉貸出処理機２０のＢＶユニット部５０に対する解錠手順に特徴があるため、この解錠手順の詳細について、図１７のフローチャートを参照して説明する。
【００８７】
図１７は、本実施例１に係る遊技媒体貸出システムの解錠手順を示すフローチャートである。ここで、以下に示すフローチャートの例では、単体（個別）の玉貸出処理機２０の解錠を対象とする暗証番号（予め設定された個別の暗証番号）を「１２３４」（４桁）とし、複数の玉貸出処理機２０（所定の島内にある全ての玉貸出処理機２０）の解錠を対象とする暗証番号を「９８７６５」（５桁）として説明する。尚、個別解錠用の暗証番号と、島単位の暗証番号とで桁数を変えるのは、多くの玉貸出処理機２０を解錠することは多額の紙幣を取り扱うことにつながるため、セキュリティレベルに格差をつけるためである。
【００８８】
すなわち、同図に示すように、先ず、リモコン９０においては、「暗証番号」および「解錠指示」の入力待ち状態であり、具体的には、リモコン９０に対する入力操作が有るか否かの判定により（ステップＳ７１０）、暗証番号の入力（本例では、暗証番号「１２３４」とする）がある場合には（ステップＳ７１１肯定）、次いで、解錠指示通知があるか否かの判定に移行する（ステップＳ７１２）。そして、このステップＳ７１２の判定により、解錠指示通知があり、通知が完了した場合には（ステップＳ７１２肯定）、ステップＳ７１３によりテンキー入力された個別の暗証番号の通知および解錠指示通知の送信（個別暗証番号通知＋解錠指示通知）をおこなう（ステップＳ７１３）。この解錠指示通知は、個別解錠キー９５（図１１）の押下（ＯＮ）により実行される。つまり、本例の場合、個別の玉貸出処理機２０の解錠を対象とする操作となる。
【００８９】
一方、玉貸出処理機２０では、リモコン９０から暗証番号と解錠指示を受信（「暗証番号通知＋解錠指示通知」）すると（ステップＳ７１４肯定）、次のステップＳ７１５により暗証番号の種別を判定する（ステップＳ７１５）。この暗証番号の種別判定は、取得した暗証番号が、個別の玉貸出処理機２０を対象とする解錠か、複数台の玉貸出処理機２０を対象とする解錠かを判別する処理である。具体的には、個別解錠キー９５の操作に基づく解錠指示通知と４桁の暗証番号が入力されれば、第１の暗証番号であると判定し、島解錠キー９８の操作に基づく解錠指示通知と５桁の暗証番号が入力されれば、第２の暗証番号であると判定する（ステップＳ７１６）。
【００９０】
つまり、ステップＳ７２０により、ステップＳ７１４により受信した暗証番号が第１の暗証番号かの判定をおこない（ステップＳ７２０）、個別暗証番号が第１の暗証番号である場合には（ステップＳ７０１肯定）、個別解錠処理に移行する（ステップＳ７３０）。ここで、本例では、リモコン９０により入力された暗証番号が個別の玉貸出処理機２０の解錠を対象とする暗証番号（「１２３４」）であるため（ステップＳ７２０肯定）、次のステップＳ７３０の処理に移行する。この個別解錠処理は、暗証番号照合部４３（図８）により暗証番号と第１の暗証番号との照合処理をおこない（ステップＳ７３１）、暗証番号判定部４３（図８）により暗証番号の判定をおこなう処理である（ステップＳ７３２）。具体的には、暗証番号が一致するかの判定をおこない（ステップＳ７３３）、暗証番号が一致する場合には（ステップＳ７３３肯定）、ロック（施錠）を解錠する（ステップＳ７３４）。
【００９１】
一方、ステップＳ７２０の判定により、暗証番号が第１の暗証番号でないと判定された場合（ステップＳ７２０否定）、ステップＳ７４０の処理に移行し、この暗証番号が第２の暗証番号であるか否かの判定をおこなう（ステップＳ７４０）。そして、このステップＳ７４０の判定により、第２の暗証番号（「９８７６５」）と一致しない場合（ステップＳ７４０否定）、解錠処理がおこなわれることなく終了する（エンド）。
【００９２】
次に、リモコン９０による入力操作によって暗証番号として「９８７６５」が入力されるとともに、解錠指示通知として島解錠キー９８が押下された場合について説明する。ステップＳ７２０において、第１の暗証番号でないと判定され（ステップＳ７２０否定）、続いてステップＳ７４０において、第２の暗証番号であると判定された場合（ステップＳ７４０肯定）、次の、複数台解錠処理に移行する（ステップＳ７４１）。以下、暗証番号判定部４３（図８）により暗証番号の判定をおこなう処理である（ステップＳ７４３）。具体的には、暗証番号が一致するかの判定をおこない（ステップＳ７４４）、暗証番号が一致する場合には（ステップＳ７４４肯定）、ロック（施錠）を解錠する（ステップＳ７４５）。更に、本例では、島内の他の玉貸出処理機２０に対して、中継器３００を介して解錠指示通知を送信する（ステップＳ７５０）。
【００９３】
以上のように、本実施例１では、リモコンによる暗証番号の通知に基づいて、単体（個別）の玉貸出処理機２０を対象とする解錠或は、複数台（遊技店の島単位）の玉貸出処理機２０を対象とする解錠をおこなうので、リモコン操作時の暗証番号が一致する場合にのみ、玉貸出処理機２０に対する解錠をおこなうため、不正を目的とする第三者にリモコンを入手されてしまった場合でも、紙幣収納ユニットに収納された紙幣の抜き取りなどを確実の防止できることからセキュリティを向上することができる。また、リモコンによる玉貸出処理機２０の解錠は、暗証番号を知る管理責任者のみであるため、セキュリティの観点で効果が期待できる。
【実施例２】
【００９４】
次に、本実施例２に係る遊技媒体貸出システムの詳細について説明する。図１８は、本実施例２に係る玉貸出処理機２０の概略構成である機能ブロック図を示している。すなわち、上記実施例１では、リモコン９０による暗証番号（個別暗証番号／複数台暗証番号）の通知に基づいて、単体（個別）の玉貸出処理機２０を対象とする解錠或は、複数台（遊技店の島単位）の玉貸出処理機２０を対象とする解錠をおこなうようにしているが、本実施例２では、玉貸出処理機２０に暗証番号を入力するテンキー入力が可能な入力装置４７を搭載し、この入力装置に対して、予め設定された暗証番号を入力することにより、単体（個別）の玉貸出処理機２０を対象とする解錠或は、複数（遊技店の島単位）の玉貸出処理機２０を対象とする解錠をおこなう構成とした点に特徴がある。
【００９５】
すなわち、図１７に示すように、本実施例２では、玉貸出処理機２０の表面パネルに入力装置４７が据置されており、この入力装置４７の設定入力部４８とテンキー入力部４９とにより、前述したリモコン９０による操作と同様に、個別の玉貸出処理機２０或は複数の玉貸出処理機２０を対象とする解錠操作をおこなうことができる。なお、本実施例２における解錠処理手順は、リモコン９０の機能が入力装置４７による入力操作に置き換わるだけであるため、前記実施例１における解錠処理手順と同様であるため、省略する。
【００９６】
上述してきたように、本実施例２によれば、入力装置４７による暗証番号の入力操作により、個別の玉貸出処理機或は、複数台（遊技店の島単位）の玉貸出処理機を対象とする解錠をおこなうことができるため、前記実施例１における解錠操作よりも、より容易且つ、確実に個別の玉貸出処理機２０の解錠をおこなうことができる。
【実施例３】
【００９７】
さて、これまで前記発明の実施１、２の形態について説明したが、本発明は上述した実施例以外にも、上記特許請求の範囲に記載した技術的思想の範囲内において種々の異なる実施例にて実施されてもよいものである。
【００９８】
例えば、前記実施例１、２では、本発明に係る遊技媒体貸出システムをパチンコ遊技に適用した場合について説明したが、本発明はこれに限定されるものではなく、パチスロ機による遊技システムにおいても同様に適用することができる。
【００９９】
また、前記実施例１、２では、パチンコ機の内部から玉が投出される（所謂、ＣＲ機方式）について説明したが、本発明はこれに限定されるものではなく、玉貸出処理機からノズルを介して玉が投出される方式においても同様に適用することができる。また、上述した各実施例１、２に示されるような紙幣のみ受け付ける玉貸出処理機だけではなく、カード（プリペイドカード、会員カードなど）と紙幣の両方を受け付けることができ、少なくとも紙幣が機内に収納されるタイプのカード処理機にも適用することができる。
【０１００】
さらには、上述した実施の形態１、２に示されるようなプリペイドカードなどカード媒体が全く介在しない玉貸出処理機だけでなく、カード媒体が機内に内蔵され、投入された紙幣の価値を当該カード媒体に関連付けて玉貸処理をおこなうとともに、投入紙幣を機内に収納するタイプの玉貸出処理機においても、本発明を適用することができる。この場合、貸出処理がおこなわれる都度、カード媒体を排出する必要がなくなるため、ランニングコストを低減できるとともに、カード媒体の偽造などによる影響を受けることがなくなるうえ、売上情報の厳正な管理が可能となる。
【０１０１】
また、本実施例１、２では、玉貸出処理機２０の内部に、紙幣を収納するＢＶユニット部５０を備える構成としているが、このＢＶユニット部５０およびＢＶロック機構部５３は、玉貸出処理機２０の外部に据置する構成としてもよい。
【０１０２】
また、前記実施例１、２において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０４】
以上のように、本発明にかかる遊技媒体貸出システムは、紙幣収納ユニットの解錠にともなう紙幣の回収に有用であり、特に、パチンコ機やパチスロ機などで利用される玉貸出処理機に適している。
【図面の簡単な説明】
【０１０５】
【図１】本発明の実施例１に係る遊技媒体貸出システムの概要を示す説明図である。
【図２】本発明の実施例１に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸出処理機およびパチンコ機の外観正面図である。
【図６】図５に示した玉貸出処理機を示す側面図である。
【図７】図５に示した玉貸出処理機本体と枠体との分離状態を示す図である。
【図８】本実施例１に係る玉貸出処理機の概略構成を示す機能ブロック図である。
【図９】貸出処理機におけるＢＶユニット部の解錠動作を示す斜視図である。
【図１０−１】ＢＶロック機構部のロック状態を示す説明概略図である。
【図１０−２】ＢＶロック機構部のロック解錠状態を示す説明概略図である。
【図１１−１】管理者用のリモコンを示す外観図である。
【図１１−２】一般係員用のリモコンを示す外観図である。
【図１２】リモコンの内部回路の概略構成を示す機能ブロック図である。
【図１３】実施例１に係る遊技媒体貸出システムの基本処理手順を示すフローチャートである。
【図１４】実施例１に係る遊技媒体貸出システムの全体処理手順を示すフローチャートである。
【図１５】売上情報記憶テーブルの構成を示す図である。
【図１６】管理サーバデータベースの構成を示す図である。
【図１７】実施例１に係る遊技媒体貸出システムの解錠処理手順を示すフローチャートである。
【図１８】実施例２に係る玉貸出処理機の概略構成を示す機能ブロック図である。
【符号の説明】
【０１０６】
１０  パチンコ機
１５  紙幣挿入口
２０  玉貸出処理機
２２  表示ランプ
２３、１１５、２１６  表示部
２４  リモコン用受光部
２５、２１５  制御部
２６、１３０、２２０  通信Ｉ／Ｆ
２７、３２  メモリ
２８、３３  売上情報記憶テーブル
２９ａ  第１の暗証番号記憶部
２９ｂ  第２の暗証番号記憶部
３０  枠体
３１  ジョイント基板
４０  解錠指示有無判定部
４１  第１の暗証番号照合部
４２  第２の暗証番号照合部
４３  暗証番号判定部
４４  解錠指示通知制御部
４５  玉貸制御部
４７  入力装置
４８  設定入力部
４９  テンキー入力部
５０  ＢＶユニット部
５１  紙幣収納部
５２  紙幣識別部
５３  ＢＶロック機構部
６０  ソレノイド
６１  ロックレバー
６２  鉤部
７１  押圧板ばね
７２  係合ピン
７４  スライドレール
７５  アンカー板
７８  支軸
８０  電源部
１００  中央管理装置
１１０  中央管理制御部
１２０  遊技店管理データベース
２００  管理サーバ
２１０  管理サーバデータベース
２１７  入力部
３００  中継器
【図１】
2005118385.tif 000003
【図２】
2005118385.tif 000004
【図３】
2005118385.tif 000005
【図４】
2005118385.tif 000006
【図５】
2005118385.tif 000007
【図６】
2005118385.tif 000008
【図７】
2005118385.tif 000009
【図８】
2005118385.tif 000010
【図９】
2005118385.tif 000011
【図１０−１】
2005118385.tif 000012
【図１０−２】
2005118385.tif 000013
【図１１−１】
2005118385.tif 000014
【図１１−２】
2005118385.tif 000015
【図１２】
2005118385.tif 000016
【図１３】
2005118385.tif 000017
【図１４】
2005118385.tif 000018
【図１５】
2005118385.tif 000019
【図１６】
2005118385.tif 000020
【図１７】
2005118385.tif 000021
【図１８】
2005118385.tif 000022